(57)【要約】準直交システムにおいて送信電力と重複量とを制御するための技術が説明される。セクタのための基地局は、そのセクタ内および近接セクタ内の端末から送信を受信し、そのセクタ内の端末のための性能測定規準（例えば、全スループット）および／またはＱｏＳ測定規準（例えば、最低データレート）を決定する。基地局は性能測定規準に基づいて重複係数を更新し、ＱｏＳ測定規準に基づいてＱｏＳ電力制御パラメータを更新する。重複係数は、データ送信のために使用可能な各時間周波数ブロックで同時に送られた重複送信の平均数を示す。ＱｏＳ電力制御パラメータは、セクタ内の端末が最低ＱｏＳ要件を実現できることを確実にする。マルチプルループを備える電力制御機構は、各端末の送信電力を調整するために使用される。重複係数およびＱｏＳ電力制御パラメータは複数のループのうちの２つによって更新される。【選択図】      図４
2008536368.tif 000002
【特許請求の範囲】
【請求項１】
下記を具備する装置：
重複送信の平均数を示す重複係数を調整するために使用される情報を提供するように動作するプロセッサ、
前記プロセッサからの前記情報に基づいて前記重複係数を更新するように動作コントローラ。
【請求項２】
前記コントローラは少なくとも１つの性能測定規準を決定するように、及び前記少なくとも１つの性能測定規準に基づいて前記重複係数を更新するように動作する、請求項１に記載の装置。
【請求項３】
前記プロセッサは受信されたパケットの状態を提供するように動作する、ここにおいて前記コントローラは前記プロセッサからの前記受信されたパケットの前記状態に基づいて全スループットを決定するように、及び前記全スループットに基づいて前記重複係数を更新するように動作する、請求項１に記載の装置。
【請求項４】
前記コントローラは少なくとも１つのサービスの品質測定規準を決定するように、及び前記少なくとも１つのサービスの品質測定規準に基づいて前記重複係数を更新するように動作する、請求項１に記載の装置。
【請求項５】
前記プロセッサは重複送信を分離するために受信機空間処理を実行するように、及び前記受信機空間処理の結果を提供するように動作する、ここにおいて前記コントローラは前記受信機空間処理の結果に基づいて前記重複係数を調整するように動作する、請求項１に記載の装置。
【請求項６】
前記プロセッサは、観測される干渉ｂを推定するように、及び干渉推定を提供するように動作する、ここにおいて前記コントローラは前記干渉推定に基づいて前記重複係数を調整するように動作する、請求項１に記載の装置。
【請求項７】
下記をさらに具備する、請求項１に記載の装置：
前記重複係数に基づいてデータ送信のために端末をスケジュールするように動作するスケジューラ。
【請求項８】
前記スケジューラは前記スケジュールされた複数の端末を、各々がトラフィックチャネルからなる複数のチャネルセットに割り当てるように動作する、ここにおいて各チャネルセット内のトラフィックチャネルは互いに直交であり、各残りのチャネルセット内のトラフィックチャネルに関して擬似ランダムである、請求項７に記載の装置。
【請求項９】
前記スケジューラは、最小数のチャネルセット内のトラフィックチャネルを前記スケジュールされた複数の端末に割り当てるように動作する、請求項７に記載の装置。
【請求項１０】
前記プロセッサは複数の周波数サブバンドの各々に関する情報を提供するように動作する、ここにおいて前記コントローラは前記周波数サブバンドに関する前記情報に基づいて各周波数サブバンドに関する重複係数を維持および更新するように動作する、請求項１に記載の装置。
【請求項１１】
前記複数の周波数サブバンドは直交周波数分割多重化により形成される、請求項１０に記載の装置。
【請求項１２】
下記を具備する、データ送信を制御する方法：
重複送信の平均数を示す重複係数を調整するために使用される情報を取得すること、
前記取得された情報に基づいて前記重複係数を更新すること。
【請求項１３】
下記をさらに具備する、請求項１２に記載の方法：
前記取得された情報に基づいて少なくとも１つの性能測定規準を決定すること、ここにおいて前記重複係数を前記更新することは、前記少なくとも１つの性能測定規準に基づいて前記重複係数を更新することを具備する。
【請求項１４】
下記をさらに具備する、請求項１２に記載の方法：
前記重複係数に基づいてデータ送信のために端末をスケジュールすること。
【請求項１５】
前記重複送信の平均数は、同じグループのチャネルセットに割り当てられる端末の平均数に対応する、請求項１２に記載の方法。
【請求項１６】
下記を具備する装置：
重複送信の平均数を示す重複係数を調整するために使用される情報を取得するための手段、
前記取得された情報に基づいて前記重複係数を更新するための手段。
【請求項１７】
下記をさらに具備する請求項１６に記載の装置：
前記取得された情報に基づいて少なくとも１つの性能測定規準を決定するための手段、ここにおいて前記重複係数を更新するための前記手段は、前記少なくとも１つの性能測定規準に基づいて前記重複係数を更新するための手段を具備する。
【請求項１８】
下記をさらに具備する請求項１６に記載の装置：
前記重複係数に基づいてデータ送信のために端末をスケジュールするための手段。
【請求項１９】
前記重複送信の平均数は、同じグループのチャネルセットに割り当てられる端末の平均数に対応する、請求項１６に記載の装置。
【請求項２０】
下記を具備する、装置：
重複係数を取得するように動作するプロセッサ、前記重複係数は重複送信の平均数を示す、
前記重複係数に基づいてデータ送信のために送信電力を決定するように動作するコントローラ。
【請求項２１】
前記プロセッサは、基地局からの送信電力制御命令を検出するように、及び送信電力制御決定を提供するように動作する、ここにおいて前記コントローラは前記送信電力制御決定にさらに基づいて前記データ送信のために前記送信電力を決定するように動作する、請求項２０に記載の装置。
【請求項２２】
前記コントローラは、前記送信電力制御決定に基づいて基準電力水準を調整するように、及び前記基準電力水準に基づいて前記データ送信のために前記送信電力を決定するように動作する、請求項２１に記載の装置。
【請求項２３】
前記プロセッサは、少なくとも１つの干渉指示を取得するように動作する、ここにおいて前記コントローラは、前記少なくとも１つの干渉指示にさらに基づいて前記データ送信のために前記送信電力を決定するように動作する、請求項２０に記載の装置。
【請求項２４】
前記コントローラは前記少なくとも１つの干渉指示に基づいて送信電力デルタを調整するように、及び前記送信電力デルタにさらに基づいて前記データ送信のために前記送信電力を決定するように動作する、請求項２３に記載の装置。
【請求項２５】
下記をさらに具備する、請求項２４に記載の装置：
前記基地局および少なくとも１つの近接する基地局に関するチャネル利得を推定するように動作するチャネル推定機、ここにおいて前記コントローラは前記チャネル利得にさらに基づいて前記データ送信のために前記送信電力を決定するように動作する。
【請求項２６】
前記プロセッサは、サービスの品質電力制御パラメータを取得するように動作する、ここにおいて前記コントローラは、前記サービスの品質電力制御パラメータにさらに基づいて前記データ送信のために前記送信電力を決定するように動作する、請求項２０に記載の装置。
【請求項２７】
前記プロセッサは最低送信電力デルタを取得するように動作する、ここにおいて前記コントローラは前記最低送信電力デルタにさらに基づいて前記データ送信のために前記送信電力を決定するように動作する、請求項２０に記載の装置。
【請求項２８】
下記を具備する、送信電力を制御する方法：
重複送信の平均数を示す重複係数を取得すること、
前記重複係数に基づいてデータ送信のために送信電力を決定すること。
【請求項２９】
下記をさらに具備する、請求項２８に記載の方法：
送信電力制御命令を受信すること、ここにおいて前記データ送信のために前記送信電力を前記決定することは、前記受信された送信電力制御命令にさらに基づいて前記データ送信のために前記送信電力を決定することを具備する。
【請求項３０】
下記をさらに具備する、請求項２８に記載の方法：
少なくとも１つの近接する基地局によって観測される少なくとも１つの干渉指示を取得する、ここにおいて前記データ送信のために前記送信電力を前記決定することは、前記少なくとも１つの干渉指示にさらに基づいて前記データ送信のために前記送信電力を決定することを具備する。
【請求項３１】
下記をさらに具備する、請求項２８に記載の方法：
サービスの品質電力制御パラメータｆを取得すること、ここにおいて前記データ送信のために前記送信電力を前記決定することは前記サービスの品質電力制御パラメータにさらに基づいて前記データ送信のために前記送信電力を決定することを具備する。
【請求項３２】
下記を具備する、装置：
重複送信の平均数を示す重複係数を取得するための手段、
前記重複係数に基づいてデータ送信のために送信電力を決定するための手段。
【請求項３３】
下記をさらに具備する、請求項３２に記載の装置：
送信電力制御命令ｆｒを受信するための手段、ここにおいて前記データ送信のために前記送信電力を前記決定するための手段は、前記受信された送信電力制御命令にさらに基づいて前記データ送信のために前記送信電力を決定するための手段を具備する。
【請求項３４】
下記をさらに具備する、請求項３３に記載の装置：
少なくとも１つの干渉指示を取得するための手段、ここにおいて、前記データ送信のために前記送信電力を前記決定するための手段は、前記少なくとも１つの干渉指示にさらに基づいて前記データ送信のために前記送信電力を決定するための手段を具備する。
【請求項３５】
下記をさらに具備する、請求項３２に記載の装置：
サービスの品質電力制御パラメータを取得するための手段、ここにおいて前記データ送信のために前記送信電力を前記決定するための手段は、前記サービスの品質電力制御パラメータにさらに基づいて前記データ送信のために前記送信電力を決定するための手段を具備する。
【発明の詳細な説明】
【関連分野】
【０００１】
本出願は、その全部が本明細書において参考文献とされ、本出願の譲受人に譲渡された、２００５年３月１５日に出願した仮出願第60/662,178号（「Power Control And Overlapping Control For A Quasi-Orthogonal Communication System」）に基づいて優先権を主張するものである。
【技術分野】
【０００２】
本開示は、一般に通信に関し、より詳細には、通信システムにおけるデータ送信および電力制御に関する。
【背景技術】
【０００３】
多元接続通信システムは、順方向リンク上と逆方向リンク上でマルチプル(multiple)端末と同時に通信することが可能である。ダウンリンクとも呼ばれる順方向リンクは、基地局から端末までの通信リンクを指し、アップリンクとも呼ばれる逆方向リンクは、端末から基地局までの通信リンクを指す。マルチプル端末は同時に、逆方向リンク上でのデータの送信および／または順方向リンク上でのデータの受信をすることができる。これは、多くの場合、時間、周波数および／または符号領域で互いに直交するように各リンク上でマルチプル送信を多重化することによって行われる。マルチプル送信間における完全な直交性は、典型的に、チャネル条件、受信機の不完全性など、様々な要因のために、ほとんどの例において行われない。しかし、直交多重化は各端末向けの送信が他の端末向けの送信と最低限に干渉することを確実にする。
【０００４】
各リンク上で同時にサービス提供される(served)ことが可能な端末の数は、典型的に、データ送信に利用可能なトラフィックチャネルの数によって制限され、したがってそれは利用可能なシステムリソースによって制限される。例えば、トラフィックチャネルの数は、多くの場合、符合分割多元接続（ＣＤＭＡ）システムで利用可能な直交符合シーケンス(sequences)の数、周波数分割多元接続（ＦＤＭＡ）システムで利用可能な周波数サブバンド(subband)の数、時間分割多元接続（ＴＤＭＡ）システムで利用可能なタイムスロットの数などによって決定される。多くの例において、システム容量を改善するために、より多くの端末がデータを同時に送信することを可能にすることが望ましい。
【０００５】
したがって、多元接続通信システムにおいて、より多くの端末向けの同時送信をサポートする技術がこの技術分野において必要とされている。
【発明の開示】
【サマリー】
【０００６】
準直交多元接続通信システムで送信電力と重複量とを制御するための技術が本明細書で説明される。重複は、同じ時間周波数ブロックで基地局に送られるマルチプル送信を指す。重複端末は同じ時間周波数ブロックを使用する端末であり、重複送信(overlapping transmissions)は同じ時間周波数ブロックで送られる送信である。
【０００７】
システム内のセクタ用の基地局は、そのセクタ内の端末からの送信ならびに近接セクタ内の干渉している端末からの送信を受信する。基地局は、重複と電力制御とに使用される１つまたは複数の測定規準(metrics)を決定する。例えば、基地局は、そのセクタのために十分な性能（例えば、高い全スループット(overall throughput)）を達成するために重複係数(overlapping factor)を調整することができる。重複係数は、データ送信のために使用可能な各時間周波数ブロックで同時に送られる重複送信の平均数を示す。重複係数は、データ送信のために、および電力制御のために端末をスケジュールするために使用され得る。
【０００８】
基地局は、セクタ内の各端末向けの送信電力制御（ＴＰＣ）命令を生成することができる。ＴＰＣ命令は、端末に関する信号対雑音および干渉比（ＳＮＲ）が目標ＳＮＲまたはその付近に維持されるように、その送信電力を調整するよう端末に指令する。基地局は、セクタ内のすべての端末がサービスの品質（ＱｏＳ）要件を満たすことを確実にするために使用されるＱｏＳ電力制御パラメータを調整することができる。基地局はまた、近接セクタ内の端末から基地局によって観測されるセクタ間(inter-sector)干渉を推定することができ、その観測されたセクタ間干渉の指示を生成することができる。この指示は、観測されるセクタ間干渉が公称(nominal)セクタ間干渉閾値を超えるかどうかを示す、単一の他セクタ(other-sector)干渉（ＯＳＩ）ビットの形態であってよい。基地局は、セクタ内の端末にＴＰＣ命令を送信し、ＯＳＩビット、ＱｏＳ電力制御パラメータ、および重複係数をブロードキャストする(broadcast)ことが可能である。
【０００９】
端末は、それ自身に関するＴＰＣ命令、それのサービス提供(serving)基地局の重複係数およびＱｏＳ電力制御パラメータ、ならびに近接する基地局に関するＯＳＩビットを受信する。端末は、それ自身の十分な性能、サービス提供基地局の十分な性能、および近接セクタに関する許容セクタ間干渉水準を達成するために、これらのパラメータのすべてに基づいてその送信電力を調整する。
【００１０】
以下、データ送信および電力制御技術を詳細に説明する。本発明の様々な態様および実施形態も下で説明される。
【詳細な説明】
【００１１】
本発明の特徴および性質は、その全体に渡って同じ参照符合はそれに相当ものを特定する図と共に下に述べられる詳細な説明から明らかになるであろう。  
本明細書では、用語「例示的」は「例、事例、または例示として機能する」ことを意味するために使用される。本明細書で「例示的」として説明される任意の実施形態または設計は他の実施形態または設計よりも好ましいまたは有利であると必ずしも解釈されない。
【００１２】
本明細書で説明されるデータ送信技術および電力制御技術は、様々な多元接続通信システムに使用することが可能である。例えば、これらの技術は、（１）異なる直交符合シーケンスを使用してマルチプル端末にマルチプル送信を送るために符合分割多重化（ＣＤＭ）を使用するＣＤＭＡシステムと、（２）異なる周波数サブバンド上でマルチプル送信を送るために周波数分割多重化（ＦＤＭ）を使用するＦＤＭＡシステムと、（３）異なるタイムスロット内でマルチプル送信を送るために時分割多重化（ＴＤＭ）を使用するＴＤＭＡシステムと、（４）異なる空間チャネル上でマルチプル送信を送るために空間分割多重化（ＳＤＭ）を使用する空間分割多元接続（ＳＤＭＡ）システムと、（５）直交周波数分割多元接続（ＯＦＤＭＡ）システムと、（６）シングルキャリア(single-carrier)周波数分割多元接続（ＳＣ−ＦＤＭＡ）とに使用され得る。
【００１３】
ＯＦＤＭＡシステムは直交周波数分割多重化（ＯＦＤＭ）を使用し、それはシステム帯域幅全体をマルチプル（Ｋ個の）直交周波数サブバンドに区分化する(partitions)マルチキャリア(multi-carrier)変調技術である。これらのサブバンドは、トーン、副搬送波、ビン（ｂｉｎｓ）、周波数チャネルなどとも呼ばれる。各サブバンドは、データにより変調され得るそれぞれの副搬送波と関連付けられる。ＯＦＤＭの場合、１つのＯＦＤＭ記号期間にＫ個のサブバンド上で送られるＫ個の変調記号は、まず、Ｋ個の時間領域サンプルを含む変換された記号を生成するために、Ｋ点の逆高速フーリエ変換（ＩＦＦＴ）により時間領域に変換される。次いで、最後のＣ個の時間領域サンプルは繰り返されて、Ｋ＋Ｃ個のサンプルを含むＯＦＤＭ記号を形成し、ここでＣは巡回プレフィックス長(cyclic prefix length)である。変調記号はＯＦＤＭにより周波数領域で送られる。
【００１４】
ＳＣ−ＦＤＭＡシステムは、（１）分散ＦＤＭＡとも呼ばれるインタリーブされた(interleaved)ＦＤＭＡ（ＩＦＤＭＡ）、または（２）狭帯域ＦＤＭＡとも呼ばれるローカライズされた(localized)ＦＤＭＡ（ＬＦＤＭＡ）を利用してもよい。ＩＦＤＭＡは、Ｋ個のサブバンドにわたって均等に間隔を隔てられた複数のサブバンド上でデータおよび／またはパイロットを送信する。ＬＦＤＭＡは、典型的に、Ｋ個のサブバンド間の隣接するサブバンド上でデータおよび／またはパイロットを送信する。ＩＦＤＭＡの場合、１つのＩＦＤＭＡ記号期間内にＮ個のサブバンド上で送られるＮ個の変調記号は、Ｋ個のサブバンドに関してＫ個の変調記号を取得するために、まずマルチプル回繰り返される。位相ランプ(phase ramp)はＫ個の変調記号に適用され、これらの記号を意図したＮ個のサブバンドのセット上で送ることができる。次いで、位相ランプの適用後、最後のＣ個の記号は繰り返されて、Ｋ＋Ｃ個の記号を含むＩＦＤＭＡ記号を形成する。ＬＦＤＭＡの場合、１つのＮＦＤＭＡ記号期間内にＮ個のサブバンド上で送られるＮ個の変調記号は、Ｎ個の周波数領域値を取得するために、まずＮ点の高速フーリエ変換（ＦＦＴ）により周波数領域に変換される。これらのＮ個の周波数領域値は、送信に使用されるＮ個のサブバンドにマップされ、ゼロ信号値は残りのＫ−Ｎ個のサブバンドにマップされる。Ｋ点のＩＦＦＴは、次いで、Ｋ個の時間領域サンプルを取得するために、Ｋ個の周波数領域値およびゼロ信号値に関して実施される。次いで、最後のＣ個の時間領域サンプルは繰り返されて、Ｋ＋Ｃ個のサンプルを含むＮＦＤＭＡ記号を形成する。変調記号はＩＦＤＭＡおよびＬＦＤＭＡにより時間領域で送られる。
【００１５】
明確にするために、以下、ＦＤＭ、ＴＤＭおよびＳＤＭの組合せである準直交多重化（ＱＯＭ）を使用する特定の準直交多元接続通信システムの技術を説明する。このシステムは、準直交分割アクセス(division access)（ＱＯＤＡ）システムとも呼ばれる。
【００１６】
図１は、一実施形態による、マルチプル基地局１１０とマルチプル端末１２０とを備えるＱＯＤＡシステム１００を示す。基地局は一般に端末と通信する固定局であり、アクセスポイント、ノードＢまたは何か他の用語と呼ばれることもできる。各基地局１１０は、特定の地理的エリア１０２に通信カバレージ(coverage)を提供する。用語「セル」は、その用語が使用される状況に依存して、基地局および／またはそのカバレージエリアを指す。システム容量を改善するために、基地局カバレージエリアはマルチプルのより小さなエリア、例えば、３つのより小さなエリア１０４ａ，１０４ｂおよび１０４ｃに区分化され得る。より小さな各エリアは、それぞれのベーストランシーバサブシステム(base transceiver subsystem)（ＢＴＳ）によってサービス提供される。用語「セクタ」は、その用語が使用される状況に依存して、ＢＴＳおよび／またはそのカバレージエリアを指す。セクタ化(sectorized)セルの場合、そのセルのすべてのセクタのＢＴＳは、典型的に、そのセル用の基地局内で同じ場所に位置される(co-located)。簡単化のために、用語「基地局」は、本明細書においては一般に、セルにサービス提供する固定局とセクタにサービス提供する固定局の両方について使用される。
【００１７】
端末は固定でも移動でもよく、そして、それは移動局、無線装置、ユーザ装置(equipment)、または何か他の用語と呼ばれることができる。各端末は、任意の与えられた瞬間に１つまたはマルチプル基地局と通信することができ、また、通信しなくてもよい。以下の説明では、用語「端末」および「ユーザ」は交換可能に使用され、用語「セクタ」と「基地局」も交換可能に使用される。各セルは、マルチプルセクタから構成されると仮定される。「サービス提供セクタ」または「サービス提供基地局」は、端末が主に通信するセクタ／基地局である。
【００１８】
各基地局１１０は、データの送受信に使用され得るマルチプルアンテナを備える。各端末は、データの送受信のために１つまたはマルチプルのアンテナを備えてよい。各基地局のマルチプルアンテナは、順方向リンク送信のためのマルチプル入力(multiple inputs)（ＭＩ）と、逆方向リンク送信のためのマルチプル出力(multiple outputs)（ＭＯ）とを表す。同時送信のためにマルチプル端末が選択される場合、選択された端末のためのマルチプルアンテナは集合的に、逆方向リンク送信のためのマルチプル入力と、順方向リンク送信のためのマルチプル出力とを表す。
【００１９】
ＱＯＤＡシステムは、利用可能なシステムリソースの割当ておよび使用を容易にするためにトラフィックチャネルを定めることができる。トラフィックチャネルは、放送によって（over the air）データを送信するための手段であり、チャネル、物理チャネル、データチャネル、送信チャネル等とも呼ばれることができる。トラフィックチャネルは、サブバンド、時間インターバル(intervals)、符合シーケンス等、様々なタイプのシステムリソースに関して定められることができる。
【００２０】
図２は、時間周波数ブロックへの利用可能なシステムリソース（時間と周波数）の例示的な区分化を示す。時間周波数ブロックはさらに、送信装置(unit)と呼ばれてもよいし、あるいは何他の用語により呼ばれてもよい。各時間周波数ブロックは、特定のタイムスロット内の特定のサブバンドセットに対応する。サブバンドセットは、システム帯域幅にわたって連続する(contiguous)あるいは分散している(distributed)可能性がある、１つまたはマルチプルサブバンドを含むことができる。タイムスロットは、１つまたはマルチプル記号期間に及ぶ(span)場合がある。Ｎ個の時間周波数ブロックは各タイムスロット内で利用可能であり、ここでＮ＞１である。
【００２１】
図２は、一実施形態による、トラフィックチャネルｔの例示的なマッピングも示す。トラフィックチャネルは、時間周波数ブロックの特定のシーケンスにマップされる。トラフィックチャネルのための時間周波数ブロックは、図２に示されるように、周波数ダイバーシティを実現するために、異なるタイムスロット内の周波数にわたってホップする(hop)ことができる。トラフィックチャネルは、データ送信に利用可能な各タイムスロット内でトラフィックチャネルに使用するために特定の時間周波数ブロックを示す周波数ホッピング(hopping)（ＦＨ）パターンと関連付けられてよい。
【００２２】
準直交多重化の一実施形態では、マルチプル（Ｍ個の）セットのトラフィックチャネルが定めら、各セットはマルチプル（Ｎ個の）トラフィックチャネルを含む。各トラフィックチャネルは、データ送信に使用される各タイムスロット内で１つの時間周波数ブロックにマップされる。各トラフィックチャネルは、特定のチャネル・ツー・リソースマッピング(channel-to-resource mapping)に関連付けられ、時間周波数ブロックの特定のシーケンスにマップされる。各セット内のＮ個のトラフィックチャネルは互いに直交であり、セット内の２つのトラフィックチャネルは同じ時間周波数ブロックを使用しない。Ｍ個のチャネルセットは互いに重複し、Ｍ個のセット内のＭ個のトラフィックチャネルは各時間周波数ブロックにマップする。
【００２３】
ランダム重複またはコモン(common)重複がＭ個のチャネルセットのために使用されてよい。ランダム重複の場合、チャネルセット内のトラフィックチャネルのためのチャネル・ツー・リソースマッピングは、他のＭ−１個のチャネルセットの各々の中のトラフィックチャネル用のチャネル・ツー・リソースマッピングに関して擬似ランダムである。ランダム重複はセクタ内(intra-sector)干渉ダイバーシティを提供できる。コモン重複の場合、ある１つのチャネルセット内のトラフィックチャネルに関するチャネル・ツー・リソースマッピングは、他のＭ−１個のチャネルセットの各々の中の１つのトラフィックチャネルに関するチャネル・ツー・リソースマッピングと同じである。コモン重複の場合、Ｍ個のトラフィックチャネルは時間周波数ブロックの同じシーケンスにマップして排他的に再使用する。コモン重複は、空間的にデコリレートされた（decorrelated）端末に使用されることができ、受信機空間処理技術により分離され得る。コモン重複はまた、端末（ハンドオフ中かもしれないし、あるいは悪いチャネル条件を観測しているかもしれない）を重複させないことにより、この端末を切り離す(isolate)ために使用されることができる。
【００２４】
ランダム重複を用いて周波数ホッピングを実現するために、各チャネルセットは、チャネルセット内の各トラフィックチャネルに対して１つの周波数ホッピングパターンの、Ｎ個の周波数ホッピングパターンの異なるセットと関連付けられることができる。各チャネルセットのためのＮ個の周波数ホッピングパターンは互いに直交であり、他のＭ−１個のチャネルセットの各々のための周波数ホッピングパターンに関して擬似ランダムである。各チャネルセット内の各トラフィックチャネルは、異なるタイムスロット内の他のＭ−１個のチャネルセット内のトラフィックチャネルの異なるセットと重複する。
【００２５】
各チャネルセットはマルチプルサブセットに区分化されてもよく、ランダム重複またはコモン重複が各チャネルサブセットに使用されることができる。例えば、各チャネルセットは２つのサブセットに区分化されることができ、ランダム重複が１つのサブセットに使用されることができ、コモン重複が他のサブセットに使用されることができる。
【００２６】
重複がどのように行われ得るかにかかわらず、合計Ｍ・Ｎ個のトラフィックチャネルはＱＯＤＡシステム内での使用のために利用可能である。簡単化のために、以下の説明において、データ送信用にスケジュールされる各端末は１つのトラフィックチャネルを割り当てられると仮定する。送信用にスケジュールされる与えられた数（Ｕ個）の端末では、セクタ内干渉を最小にするために最小数（Ｌ個）のチャネルセットがこれらの端末に関して使用されてよく、その場合、
【数１】
2008536368.tif 000003
【００２７】
であり、
【数２】
2008536368.tif 000004
【００２８】
はｘ以上である整数を提供するシーリングオペレータ(ceiling operator）を示す。スケジュールされた各端末は、Ｌ個のチャネルセットの中から１つのトラフィックチャネルを割り当てられる。
【００２９】
準直交多重化により、マルチプル端末は、同じ時間周波数ブロックを使用することができる。各セクタで観測された干渉は、セクタ内干渉とセクタ間干渉とから構成される。セクタ内干渉は、同じセクタ内の端末からの干渉である。セクタ内干渉は、（１）同じ時間周波数ブロック上でマルチプル端末によって送られる重複送信、および（２）同じチャネルセット内の直交トラフィックチャネル上で送られる送信間の直交性の損失から生じる可能性がある。直交性の損失は、結果的にキャリア間干渉(inter-carrier interference)（ＩＣＩ）および記号間干渉(inter-symbol interference)（ＩＳＩ）をもたらす可能性がある。セクタ間干渉（それはまた他セクタ(other-sector)干渉と呼ばれる）は、他のセクタ内の端末からの干渉である。セクタ内干渉およびセクタ間干渉は性能に大きな影響を及ぼすが、ここに記載の技術を使用して軽減することができる。
【００３０】
重複端末の平均数は、十分なシステム性能を実現するために調整されてよい。重複端末の平均数（Ｑ）はまた、重複係数、Ｑ係数、準直交レベル等と呼ばれる。与えられたのセクタｓに関するより高い重複係数は、各時間周波数ブロック上のより多い重複送信の平均数に対応し、それはセクタｓに関する全スループットを改善できる。しかし、より高い重複係数はまたセクタｓへの干渉と、場合によっては、近接セクタへの干渉を増加させる可能性があり、したがって、影響を受けた各セクタによって達成される全スループットに悪影響を及ぼす可能性がある。セクタｓに関する重複係数は、一定のＱｏＳ要件または目的を満足させながら、全スループットが最大化されるように調整されることができる。ＱｏＳ要件は、例えば、特定の最低データレートおよび最大遅延要件によって定量化され(quantified)てよい。
【００３１】
図３は、一実施形態による、セクタ用の重複係数を調整するための処理３００を示す。はじめに、重複係数を調整するために使用される情報が取得される（ブロック３１０）。この情報は重複係数を調整するために使用される特定の方式に依存し、性能測定規準(performance metric)（例えば、全スループット）、ＱｏＳ指数（例えば、データレートおよび遅延）、セクタ内干渉などに関するものであってよい。重複係数は、取得された情報に基づいて更新される（ブロック３１２）。重複係数を調整するための様々な方式を下に説明する。セクタ内の端末は、重複係数および、場合によっては、他の係数に基づいてデータ送信用にスケジュールされる（ブロック３１４）。スケジュールされた端末は、最小数のチャネルセットからトラフィックチャネルを割り当てられる（ブロック３１６）。
【００３２】
重複係数は様々な方法で調整されてよい。一実施形態では、各セクタは個別の重複係数を維持し、そのセクタおよび、場合によっては、そのセクタで収集された情報および、場合によっては、その他のセクタからの情報に基づいて重複係数を独立に調整する。別の実施形態では、１つの重複係数はセクタのクラスタに関して維持され、そのクラスタ内のすべてのセクタから収集された情報に基づいて調整される。クラスタは任意のサイズであってよく、また任意の数のセクタを含んでよい。個別の重複係数が順方向リンクおよび逆方向リンクに関して維持されてよく、または同じ重複係数は両リンクに関して使用されてもよい。明確化のために、以下の説明の大部分は、各セクタがその自身の重複係数を維持および更新する実施形態および逆方向リンクに関するものである。
【００３３】
重複係数の最適値は、基地局に配備されたアンテナの数、これらのアンテナ間の相関関係、セクタ内における端末の分布、受信機空間処理技術を使用して端末が分離され得る程度、システムローディング(loading)などの、様々な係数に依存している可能性がある。これら係数の多くは、特定配置パラメータ（deployment specific parameters）である。
【００３４】
一実施形態では、セクタのための重複係数は、全スループット、平均データレート、平均送信遅延または平均送信待ち時間(latency)などの、１つまたは複数の性能測定規準に基づいて調整される。セクタは、セクタ内の端末からの送信ならびに近接セクタ内の端末からの送信を受信する。セクタは、受信機空間処理技術を使用して受信された送信を処理し、重複送信を分離する。次いで、セクタは、送信のために復号されたデータを取得するために各送信を処理する（例えば、復調して、デインタリーブし(deinterleaves)、および復号する）。セクタは、セクタ内の端末によって送信されたデータパケット数、セクタによって正しく復号されたパケット数、それらパケットが経験した遅延または待ち時間等に基づいて性能指数（例えば、全スループット）を計算することができる。
【００３５】
セクタはそのセクタ用の全スループットのランニング平均（running average）を維持してよく、受信および復号されたパケットに基づいてこの平均的な全スループットを定期的に更新してよい。セクタは平均的な全スループットに基づいて重複係数を以下のように更新してよい：
【数３】
2008536368.tif 000005
【００３６】
ここで、ＯＴＰｓ（ｌ）は、時間インターバルｌ内のセクタｓの平均的な全スループットである；
Ｑｓ（ｌ）は、時間インターバルｌ内のセクタｓの重複係数である；
Ｑｕｐは、重複係数のアップステップサイズ（up step size）であり、Ｑｕｐ＞１である；
Ｑｄｎは、重複係数のダウンステップサイズ（down step size）であり、Ｑｄｎ＜１である。
【００３７】
ＱｕｐステップサイズとＱｄｎステップサイズは、重複係数に関して意図される応答を行うように選択される。重複係数の更新レートは、システム安定性を保証するように十分に遅い。重複係数の更新は、不連続の(discrete)時間インターバルで、例えば、所定数のタイムスロットごとに、実行されてよい。
【００３８】
一般に、より高い重複係数は、より多くの端末が各時間周波数ブロックを使用することを可能にする（これは、潜在的にスループットを高めることを可能にする）が、結果として、より高いセクタ内干渉をもたらす（これは、復号誤りおよび、したがって、より低いスループットを引き起こし得る）。式（１）に示される実施形態では、セクタは、全スループットがもはや改善しなくなるまで重複係数を連続的に上方に調整する。
【００３９】
別の実施形態では、重複係数は、送信遅延または待ち時間、パケットを成功的に送るために必要とされる平均時間、パケットを成功的に送るための送信の平均数などの、１つまたは複数のＱｏＳ測定規準に基づいて調整される。重複係数は、ＱｏＳ測定規準がＱｏＳ要件を超える時間インターバルごとに増加されてよく、任意のＱｏＳ要件が満足されない場合は減少されてよい。
【００４０】
さらに別の実施形態では、重複係数は、マルチプル端末から重複送信を分離するように受信機空間処理の結果に基づいて調整される。重複送信を有する各時間周波数ブロックでは、セクタで受信された記号は次のように表現されてよい：
【数４】
2008536368.tif 000006
【００４１】
ここで、ｓ（ｋ，ｔ，ｉ）は、タイムスロットｔの記号期間ｉ内にサブバンドｋ上でＬ個の端末によって送られるＬ個のデータ記号を有するＬｘ１ベクトルであり、
Ｈ（ｋ，ｔ）は、Ｌ個の端末におけるアンテナとセクタにおけるＴ個のアンテナとの間のチャネル利得を有するＴｘＬチャネル応答行列であり、
ｒ（ｋ，ｔ，ｉ）は、タイムスロットｔの記号期間ｉ内にサブバンドｋに関してセクタにおけるＴ個のアンテナを経由して取得されるＴ個の受信記号を有するＴｘ１ベクトルであり、
ｎ（ｋ，ｔ，ｉ）は、セクタによって観測される雑音および干渉のＴｘ１ベクトルである。
【００４２】
簡単化のために、チャネル応答はタイムスロットｔにわたって一定であると仮定され、記号期間ｉの関数ではない。
【００４３】
セクタは、最小平均２乗誤差(minimum mean square error)（ＭＭＳＥ）技術、逐次干渉除去(successive interference cancellation）（ＳＩＣ）技術、または何らかのその他の受信機処理技術を使用して重複送信を分離することができる。ＭＭＳＥ技術の場合、セクタは空間フィルタ行列を次のように導く：
【数５】
2008536368.tif 000007
【００４４】
ここで、Ｍ（ｋ，ｔ）は、タイムスロットｔ内におけるサブバンドｋに関するＬｘＴ  ＭＭＳＥ空間フィルタ行列であり、
ＩＭｒは、雑音およびセクタ間干渉に関する共分散(covariance)行列である。
【００４５】
セクタは、端末によって送信されたパイロットに基づいてＨ（ｋ，ｔ）を推定することができる。簡単化のために、式（３）はチャネル推定誤りを仮定しない。
【００４６】
セクタは次のように受信機空間処理を実行することができる：
【数６】
2008536368.tif 000008
【００４７】
ここで、Ｄ（ｋ，ｔ）＝ｄｉａｇ［Ｍ（ｋ，ｔ）・Ｈ（ｋ，ｔ）］-1であり、
【数７】
2008536368.tif 000009
【００４８】
は、タイムスロットｔの記号期間ｎにおけるサブバンドｋに関するＬ個の検出記号を有するＬｘ１ベクトルであり、
【数８】
2008536368.tif 000010
【００４９】
は、受信機空間処理後の雑音および干渉である。
【００５０】
重複係数は、セクタで観測されたセクタ内干渉に基づいて調整されてよい。総受信電力は、雑音、セクタ間干渉、および同じセクタ内のユーザからの信号を含む。セクタ間干渉は下に説明されるように推定および取消しされることができ、残りの受信電力は大まかなスケールされた(scaled)セクタ内干渉推定として使用されることができる。ｉ＝１，．．．，Ｎとして、ＮのユーザがＰｒｘ，ｉの受信電力を有する同じ時間周波数ブロックを占有する場合、受信信号電力はΣＰｒｘ，ｉに等しく、セクタ内干渉は
【数９】
2008536368.tif 000011
【００５１】
となる。２乃至３のユーザが同じ時間周波数ブロック上で重複している場合、これらの２つの数量(quantities)は互いの大まかにスケールされたバージョンとなるべきである。重複係数は、セクタ内干渉が公称セクタ内干渉閾値未満である場合は増加されことができ、その他の場合は減少されることができる。
【００５２】
各端末に関する受信ＳＮＲは次のように表現されることができる：
【数１０】
2008536368.tif 000012
【００５３】
ここで、βｕ（ｋ，ｔ）は、端末ｕに対応するＤ（ｋ，ｔ）-1  の対角エレメント(diagonal element)であり、
γｕ（ｋ，ｔ）は、タイムスロットｔ内におけるサブバンドｋに関する端末ｕの受信ＳＮＲである。
【００５４】
重複係数はまた、ＭＭＳＥ誤差（error）に基づいて調整されることができる。ＭＭＳＥ誤差は、例えば、次のように、重複端末に関する受信ＳＮＲｓの逆数の平均として計算されてよい：
【数１１】
2008536368.tif 000013
【００５５】
重複係数は、ＭＭＳＥ誤差がＭＭＳＥ誤差閾値未満である場合には増加されることができ、その他の場合は減少されることができる。
【００５６】
一般に、重複係数は、任意の測定規準または任意の測定規準の組合せに基づいて調整されてよい。いくつかの例示的な測定規準は上に説明されている。重複係数を調整するために他の測定規準を使用することもでき、これは本発明の技術的範囲内である。
【００５７】
スケジューラは、重複係数およびその他の基準に基づいてデータ送信のために端末をスケジュールしてよい。１つまたはマルチプルのタイムスロットに及ぶ可能性のある各スケジューリングインターバルにおいて、スケジューラは重複係数に基づいてデータ送信のために特定数の端末を選択する。例えば、スケジューラは、各スケジューリングインターバルでの送信のためにＮ・Ｑ個の端末を大まかに選択してよい。スケジューラは、次いで、空間互換性、受信ＳＮＲｓ、ＱｏＳ要件、ハンドオフ状態などの、様々な基準に基づいて選択された端末にトラフィックチャネルを割り当てる。例えば、スケジューラは、受信機空間処理技術を使用して分離され得る、空間的に互換性のある端末にコモン重複トラフィックチャネルを割り当ててもよい。コモン重複トラフィックチャネルは、スケジューリングインターバルで同じ時間周波数ブロックにマップされるトラフィックチャネルである。スケジューラはまた複数のトラフィックチャネルを複数の端末に対してそれらの受信ＳＮＲｓに基づいて割り当ててもよい。例えば、より良い性能は、低ＳＮＲ端末を高ＳＮＲ端末と重複させることによって達成されることができる。スケジューラはまた、低ＱｏＳ測定規準を有する複数の端末に対して、（１）他の端末がこれらのトラフィックチャネルを共有しないコモン重複トラフィックチャネル、または（２）時間周波数ブロックを低ＳＮＲ端末と共有するランダム重複トラフィックチャネルを割り当ててもよい。ランダム重複トラフィックチャネルは、スケジューリングインターバルにおいて異なる時間周波数ブロックにマップしたトラフィックチャネルである。
【００５８】
重複係数は、平均して(on average)各時間周波数ブロックを使用できる端末の数を決定し、それはサービス提供セクタによって観測されるセクタ内干渉および近接セクタによって観測されるセクタ間干渉に影響を及ぼす。重複している端末では、特定の受信ＳＮＲまたは特定のデータレートを達成するために要求される送信電力は重複係数に依存する。したがって、電力制御は重複係数を説明する(account for)やり方で行われることができる。
【００５９】
各端末によって送られるデータ送信用の送信電力は、セクタ内干渉およびセクタ間干渉の両方を軽減する(mitigate)方法で制御されてよい。送信電力は、端末がサービス提供セクタに対して引き起こす可能性があるセクタ内干渉の量と、端末が近接セクタに対して引き起こす可能性があるセクタ間干渉の量とが両方とも許容水準内で維持されるように調整される。
【００６０】
トラフィックチャネルの電力制御は、様々なやり方で実行されてよい。簡明化のために、電力制御の特定の実施形態が下に説明される。この実施形態では、１つの端末によって使用されるトラフィックチャネルの送信電力は次のように表されることができる：
【数１２】
2008536368.tif 000014
【００６１】
ここで、Ｐｄｃｈ（ｎ）は、更新インターバルｎに関するトラフィックチャネルの送信電力であり、
Ｐｒｅｆ（ｎ）は、更新インターバルｎに関する基準電力水準であり、
ΔＰ（ｎ）は、更新インターバルｎに関する送信電源デルタである。
【００６２】
電力水準Ｐｄｃｈ（ｎ）とＰｒｅｆ（ｎ）、および送信電力デルタΔＰ（ｎ）は、デシベル（ｄＢ）の単位で与えられる。
【００６３】
基準電力水準Ｐｒｅｆ（ｎ）は、制御チャネル上で送られるシグナリング(signaling)であってよい、指定された送信の目標ＳＮＲを達成するために必要とされる送信電力の量である。基準電力水準および目標ＳＮＲは、指定された送信に意図される性能水準（例えば、１％のパケット誤り率（ＰＥＲ））を達成するために調整されてよい。基準電力水準が目標ＳＮＲを達成できる場合、トラフィックチャネルの受信ＳＮＲは次のように推定され得る：
【数１３】
2008536368.tif 000015
【００６４】
式（８）では、指定された送信とトラフィックチャネル上のデータ送信が類似の雑音および干渉特徴を観測すると仮定されている。ＳＮＲｄｃｈ（ｎ）はまた、例えば、制御チャネルとトラフィックチャネルは異なる雑音および干渉特徴とを経験する場合、別のやり方で決定されてもよい。
【００６５】
送信電力デルタΔＰ（ｎ）は、トラフィックチャネルに意図されるＳＮＲを実現し、セクタ内干渉を許容水準内に維持し、セクタ間干渉を減少させる方法で調整されてよい。これらの目的は、例えば、以下のように、端末に関する送信電力デルタが所定の範囲内となることを要求することによって達成されることができる：
【数１４】
2008536368.tif 000016
【００６６】
ここで、ΔＰｍｉｎは、トラフィックチャネルに関して許可可能な最低送信電力デルタであり、
ΔＰｍａｘは、トラフィックチャネルに関して許可可能な最高送信電力デルタである。
【００６７】
式（９）の制約は、すべての端末のトラフィックチャネルに関する受信ＳＮＲｓを、［ＳＮＲｍｉｎ，ＳＮＲｍａｘ］の範囲内になるよう実効的に制限する。この制約は、端末の受信ＳＮＲｓ内の可変性(variability)の量を制限し、各端末によって引き起こされるセクタ内干渉の量が許容水準内であることを確実にする。一般に、高い干渉を報告する近接セクタ近くに配置される端末は、より低い送信電力デルタで送信する可能性があり、その結果、その受信ＳＮＲはＳＮＲｍｉｎにさらに近くなる。逆に、サービス提供セクタ近くに配置される端末は、より高い送信電力デルタで送信する可能性があり、その結果、その受信ＳＮＲはＳＮＲｍａｘにより近くなる。受信ＳＮＲｓの範囲は、典型的に、サービス提供セクタに対するそれらの近接(proximity)に基づいてシステム内の端末に関して観測される。各セクタ内のスケジューラは、端末に関する公平を保証しながら、高いスループットを達成するために受信ＳＮＲｓの分布を利用することができる。
【００６８】
一実施形態では、ＱｏＳ電力制御パラメータは、すべての端末がＱｏＳ要件を確実に満足することができるようにするために使用される。式（９）のΔＰｍｉｎは、このＱｏＳ電力制御パラメータとして使用されてよく、すべての端末に意図されるＱｏＳ水準を実現する方法で調整されてよい。ΔＰｍｉｎは、カバレージの端に配置され、悪いチャネル条件を観測するセクタエッジ（sector-edge）端末に主に適用される。セクタエッジ端末は、サービス提供セクタに関して小さなチャネル利得（すなわち、大きい経路損失(path loss)）を有し、サービス提供セクタで目標ＳＮＲを実現するために高い電力水準で送信する必要がある。セクタエッジ端末はまた典型的に近接セクタ近くにも配置され、高い送信電力水準は、結果的に、この近接セクタに高いセクタ間干渉をもたらす。より小さなΔＰｍｉｎは、セクタエッジ端末がより低い電力水準で送信することを可能にし、したがってそれはセル間干渉を減少させる。しかし、セクタエッジ端末が、データ送信のために、特定の最低ＳＮＲおよび、したがって、特定の最低データレートを実現できることを確実にするために、ΔＰｍｉｎはあまり低く設定されてはならない。
【００６９】
一実施形態では、端末の送信電源を調整するために、４つのループを有する電力制御機構が使用される。基準ループは、端末の受信ＳＮＲを推定し、受信ＳＮＲが目標ＳＮＲにまたはその近くに維持されるよう基準電力水準Ｐｒｅｆ（ｎ）を調整する。ΔＰループは、セクタ間干渉の考慮事項に基づいて端末に関して送信電力を調整する。ＱｏＳループは、意図されるＱｏＳ水準がその端末に関して実現されることを確実にするためにΔＰｍｉｎを調整する。Ｑループは、セクタに関して良好な性能を実現するために重複係数を調整する。基準ループ、ΔＰループ、ＱｏＳループおよびＱループは、安定性を確実にするために異なるレートで更新されてよい。例えば、ＱループはＱｏＳループよりも遅いレートで更新されてよく、ＱｏＳループはΔＰループよりも遅いレートで更新されてよく、ΔＰループは基準ループよりも遅い速度で更新されてよい。
【００７０】
電力制御機構は異なる機構を実効的に使用して、セクタ間干渉とセクタ内干渉とを別々に制御する。セクタエッジ端末は、セクタ間干渉の主な(predominant)ソースである。ＱｏＳループは、主にセクタエッジ端末に影響を与えるΔＰｍｉｎを調整し、したがって、これらのセクタエッジ端末によって引き起こされるセクタ間干渉の量を制御する。重複端末は、セクタ内干渉の主なソースである。Ｑループは重複係数を調整し、したがって重複端末によって観測されるセクタ内干渉の量を制御する。明確化のために、４つのループの例示的設計を下で説明する。
【００７１】
図４は、一実施形態による、端末１２０ｘの送信電力を調整するために使用され得る電力制御機構４００を示す。端末１２０ｘは、サービス提供セクタ１１０ｘと通信し、近接セクタに対して干渉を引き起こす可能性がある。簡単化のために、図４は１つの近接セクタ１１０ｙだけを示す。電力制御機構４００は、基準ループ４０２と、Ｑループ４０４と、ＱｏＳループ４０６と、ΔＰループ４０８とを含む。基準ループ４０２、Ｑループ４０４、およびＱｏＳループ４０６は、端末１２０ｘとサービス提供セクタ１１０ｘとの間で動作する。ΔＰループ４０８は、端末１２０ｘと近接セクタ１１０ｙとの間で動作する。
【００７２】
基準ループ４０２は、指定された送信のために送信電力を調整し、サービス提供セクタ１１０ｘで測定されるこの指定された送信に関する受信ＳＮＲを、目標ＳＮＲに可能な限り近く維持する。基準ループ４０２について、サービス提供セクタ１１０ｘ内のＳＮＲ推定機(estimator)４１０は指定された送信に関する受信ＳＮＲを推定する。ＴＰＣ命令ジェネレータ４１２は、受信ＳＮＲを目標ＳＮＲと比較し、比較結果に基づいてＴＰＣ命令を生成する。各ＴＰＣ命令は、（１）受信ＳＮＲが目標ＳＮＲ未満の場合に基準電力水準Ｐｒｅｆ（ｎ）を上げるように端末１２０ｘに命令するためのＵＰ命令、または（２）受信ＳＮＲが目標ＳＮＲと同等以上である場合に基準電力水準を下げるように端末に命令するためのＤＯＷＮ命令であってよい。サービス提供セクタ１１０ｘは、順方向リンク上で端末１２０ｘにＴＰＣ命令を送信する。
【００７３】
端末１２０ｘは、サービス提供セクタ１１０ｘから順方向リンク送信を受信して処理する。ＴＰＣ命令検出器４５０は各受信ＴＰＣ命令を検出し、ＴＰＣ決定(decision)を供給し、それは、（１）受信ＴＰＣ命令がＵＰ命令であるとみなされる場合のＵＰ決定、あるいは（２）受信ＴＰＣ命令がＤＯＷＮ命令であるとみなされる場合のＤＯＷＮ決定のいずれかであってよい。基準電力調整装置４５２は、下に説明されるように、ＴＰＣ検出器４５０からのＴＰＣ決定に基づいて基準電力水準Ｐｒｅｆ（ｎ）を調整する。ＴＸデータプロセッサ４８０は、指定された送信用の送信電力を装置４５２によって示される水準Ｐｒｅｆ（ｎ）に設定する。指定された送信はサービス提供セクタ１１０ｘに送られる。
【００７４】
典型的に時間にわたって特に移動端末に関して変化する、逆方向リンク上の経路損失、フェージング(fading)およびマルチパス(multipath)の効果により、指定された送信の受信ＳＮＲは連続的に変動する。基準ループ４０２は、逆方向リンク上のチャネル条件に変化が存在するときに、目標ＳＮＲにまたはその近くに受信ＳＮＲを維持しようと試みる。
【００７５】
ΔＰループ４０８は、可能な限り高い電力水準がトラフィックチャネルに使用されるようにトラフィックチャネルに関する送信電力を調整し、一方セクタ間干渉を許容水準内に維持する。ΔＰループ４０８では、近接セクタ１１０ｙ内のセクタ間干渉推定機４４０は、逆方向リンク上で送信を受信し、他のセクタ内の端末からセクタ１１０ｙによって観測されるセクタ間干渉を推定する。ＯＳＩビットジェネレータ４４２は、下に説明されるように、推定機４４０からセクタ間干渉推定を受信し、近接セクタ１１０ｙのためにＯＳＩビットを設定する。近接セクタ１１０ｙは、システム内の端末に順方向リンク上でＯＳＩビットをブロードキャストする。
【００７６】
Ｑループ４０４およびＱｏＳループ４０６は各々、端末１２０ｘのために良好な性能が達成されるように、その端末に割り当てられたトラフィックチャネルに関して送信電力を直接的または間接的に調整する。Ｑループ４０４では、サービス提供セクタ１１０ｘ内の受信（ＲＸ）データプロセッサ４３０は、セクタ１１０ｘ内の端末からのデータ送信を処理し、各パケットが正確に復号されているか、または誤って復号されているかを決定し、セクタ１１０ｘに関する１つまたは複数の性能測定規準（例えば、全スループット）および／または１つまたは複数のＱｏＳ測定規準を決定する。セクタ内干渉推定機４２０により、サービス提供セクタ１１０ｘによって観測されるセクタ内干渉が推定される。重複係数調整装置４２２は、プロセッサ４３０から性能および／またはＱｏＳ測定規準を受信し、場合によっては推定機４２０からセクタ内干渉推定を受信し、そしてサービス提供セクタ１１０ｘのために重複係数を調整する。ＱｏＳループ４０６については、ΔＰｍｉｎ調整装置４３２はプロセッサ４３０からＱｏＳ測定規準を受信し、ＱｏＳ要件を満たすようにΔＰｍｉｎを調整する。サービス提供セクタ１１０ｘは、順方向リンク上で重複係数およびΔＰｍｉｎをそのセクタ内の端末にブロードキャストする。
【００７７】
端末１２０ｘで、シグナリングプロセッサ４６０は、サービス提供セクタ１１０ｘからの順方向リンク送信を処理し、セクタ１１０ｘによって送られた重複係数とΔＰｍｉｎとを提供する。ＯＳＩビット検出器４６２は、近接セクタによってブロードキャストされたＯＳＩビットを受信および処理し、検出されたＯＳＩビットを提供する。チャネル推定機４６４は、サービス提供セクタと近接セクタとからパイロットを受信し、各セクタに関してチャネル利得を推定し、すべてのセクタに関して推定されたチャネル利得を提供する。送信電力デルタ調整装置４６６は、下に説明されるように、検出されたＯＳＩビット、チャネル利得、およびΔＰｍｉｎに基づいてトラフィックチャネルのための送信電力デルタΔＰ（ｎ）を調整する。送信電力計算装置４７０は、基準電力水準Ｐｒｅｆ（ｎ）と、送信電力デルタΔＰ（ｎ）と、重複係数とを受信する。装置４７０は、入力のすべてに基づいてトラフィックチャネルのために送信電力Ｐｄｃｈ（ｎ）を計算する。ＴＸデータプロセッサ４８０は、サービス提供セクタ１１０ｘへのデータ送信のために送信電力Ｐｄｃｈ（ｎ）を使用する。
【００７８】
図５は、一実施形態による、あるセクタ内の端末と近隣セクタ内の端末とのための電力制御をサポートするためにそのセクタによって実行される処理５００を示す。そのセクタ内の端末からの送信ならびに近隣セクタ内の端末からの送信は受信されて（ブロック５１０）、そのセクタ内の端末によって送られた送信を回復する(recover)ために空間的に処理される（ブロック５１２）。セクタによって観測される、場合によってはセクタ内干渉、およびセクタ間干渉は、受信された送信に基づいて推定される（ブロック５１４）。セクタ間干渉は、例えば、以下のように推定されることができる：
【数１５】
2008536368.tif 000017
【００７９】
ここで、ｓｐ（ｋ，ｔ，ｉ）は、タイムスロットｔの記号期間ｉ内にサブバンドｋ上でＬ個の端末によって送られるＬ個のパイロット記号を有するＬｘ１ベクトルであり、
【数１６】
2008536368.tif 000018
【００８０】
は、タイムスロットｔの記号期間ｉ内におけるサブバンドｋに関するセクタ間干渉測定である。
【００８１】
その代わり、熱雑音電力に対するセクタによって観測される干渉電力の比率である、対温度干渉比（interference-over-thermal ratio）（ＩＯＴ）が推定される。以下の説明は、（ＩＯＴの代わりに）セクタ間干渉が推定されることを仮定する。マルチプルサブバンドおよび／またはマルチプル記号期間に関するセクタ間干渉測定は算術(arithmetic)平均、幾何平均、ＳＮＲベースの平均などを使用して平均化され、それによってそのセクタに関するセクタ間干渉推定Ｉｉｎｔｅｒ，ｓを取得することができる。セクタ内干渉測定もまた平均化され、セクタ内干渉推定Ｉｉｎｔｒａ，ｓを取得することができる。
【００８２】
セクタ内の各端末の受信ＳＮＲは、例えば、式（５）に示されるように、その端末に関して受信された送信に基づいて推定される（ブロック５１６）。ＴＰＣ命令はセクタ内の各端末に関して、その端末に関するＳＮＲ推定に基づいて生成される（ブロック５１８）。
【００８３】
セクタによって観測されるセクタ間干渉の指示が生成される（ブロック５２０）。この指示は様々なフォーマットで与えられることができる。一実施形態では、セクタ間干渉推定は所定のビット数に定量化される。別の実施形態では、単一ビットを使用して、セクタ間干渉が公称セクタ間干渉閾値より大きいか、あるいは小さいかを示す。さらに別の実施形態では、１つのビットを使用して、セクタ間干渉がその公称閾値を超えるかどうかを示し、別のディストレス／パニックビット（distress/panic bit）を使用して、セクタ間干渉が高い閾値を超えるかどうかを示す。簡単化のために、以下の説明では、セクタ間干渉情報を提供するために単一ＯＳＩビットの使用が仮定される。セクタは、このＯＳＩビットを次のように設定することができる：
【数１７】
2008536368.tif 000019
【００８４】
ここで、Ｉｉｎｔｅｒ，ｓ（ｍ）は時間インターバルｍ内におけるセクタｓに関するセクタ間干渉推定であり、
Ｉｔａｒｇｅｔは公称セクタ間干渉閾値であり、
ＯＳＩＢｓ（ｍ）は時間インターバルｍ内におけるセクタｓに関するＯＳＩビットである。
【００８５】
ＯＳＩビットは、良好な性能を提供するように選択されたレートで設定される。
【００８６】
システムは、例えば、音声、パケットデータ、ビデオ、テキストメッセージ、シグナリングなどに関する、マルチプルＱｏＳクラスをサポートできる。各ＱｏＳクラスは、ある定まった最低性能要件を有してよく、それら要件を満たすために必要とされるある定まったΔＰｍｉｎに関連付けられてよい。各ＱｏＳクラスに関するΔＰｍｉｎは、そのＱｏＳクラスに関して受信された送信のために復号されたパケットに基づいて更新されてよい（ブロック５２２）。例えば、音声ＱｏＳクラスのΔＰｍｉｎは、すべての音声送信について１％またはもっと良好な目標ＰＥＲを達成するように調整されてよい。
【００８７】
重複係数は、例えば、式（１）に示されるように、１つまたは複数の性能測定規準に基づいて更新される（ブロック５２４）。重複係数は、端末のスケジューリングとトラフィックチャネルの割当て、および電力制御のために使用されてよい。
【００８８】
セクタはＯＳＩビットをブロードキャストして、近接セクタ内の端末がこのセクタで観測されるセクタ間干渉に基づいてそれらの送信電力を調整することを可能にする。セクタはまた、すべてのＱｏＳクラスに関するΔＰｍｉｎをブロードキャストして、そのセクタ内の端末がＱｏＳ要件を満たすためにその送信電力を調整することを可能にする。セクタは、セクタ内の端末に対して重複係数をブロードキャストしてもよいし、またはしなくてもよい。下に説明するように、重複係数がブロードキャストされるか否かに依存して、異なる電力制御動作(behaviors)が行われることができる。
【００８９】
図６は、各セクタが重複係数をブロードキャストする一実施形態に関して電力制御のために端末によって実行される処理６００を示す。ＴＰＣ命令は、各更新インターバルにおいてサービス提供セクタから受信され、重複係数およびΔＰｍｉｎは、より遅いレートでサービス提供セクタから受信される（ブロック６１０）。ＯＳＩビットは、近接セクタから受信される（ブロック６１２）。サービス提供セクタおよび近接セクタのためのチャネル利得は、例えば、これらのセクタによって送信されるパイロットに基づいて推定されてよい。
【００９０】
基準電力水準Ｐｒｅｆ（ｎ）は、次のように、サービス提供セクタから受信されるＴＰＣ命令に基づいて調整される（ブロック６１４）：
【数１８】
2008536368.tif 000020
【００９１】
ここで、Ｐｕｐは、基準電力水準のアップ(up)ステップサイズであり、Ｐｄｎは基準電力水準のダウン(down)ステップサイズである。
【００９２】
一般に、データ送信のために端末によって使用される送信電力は、低干渉が近接セクタによって観測される場合は増加されることができ、高干渉が観測される場合は減少されることができる。送信電力はまた、（１）高干渉を観測する近接セクタ近くに端末が配置される場合、および／または（２）現在の送信電力水準が高い場合に、より大きな量および／またはより高い頻度で調整されてもよい。（１）端末がサービス提供セクタ近くに配置される場合、および／または（２）現在の送信電力水準が低い場合、送信電力はより小さな量および／または少ない頻度で調整されてよい。式（７）で示される実施形態では、端末の送信電力は送信電力デルタに関連し、送信電力デルタにより制御される。
【００９３】
送信電力デルタΔＰ（ｎ）は、近接セクタから受信されたＯＳＩビットおよび、場合によっては、他の係数に基づいて調整される（ブロック６１６）。一実施形態では、ΔＰ（ｎ）は、最強の近接セクタからのＯＳＩビットと、その近接セクタに関するチャネル利得ｇｓｎｓ（ｎ）に対するサービス提供セクタに関するチャネル利得ｇｓｓ（ｎ）の比である、この近接セクタに関するチャネル利得比ｒｓｎｓ（ｎ）、すなわち、ｒｓｎｓ（ｎ）＝ｇｓｓ（ｎ）／ｇｓｎｓ（ｎ）とに基づいて調整される。例えば、ΔＰ（ｎ）は、次のように、決定論的なやり方で調整されてよい：
【数１９】
2008536368.tif 000021
【００９４】
ここで、ΔＰｕｐ（ｎ）およびΔＰｄｎ（ｎ）は、固定値であってもよいし、あるいは最強の近接セクタに関するチャネル利得比ｒｓｎｓ（ｎ）、先行更新インターバルｎ−１に関する送信電力デルタΔＰ（ｎ−１）などの関数であってもよい。最強の近接セクタが高いセクタ間干渉を観測し、そのＯＳＩビットを「１」に設定する場合、ΔＰｄｎ（ｎ）は、チャネル利得比ｒｓｎｓ（ｎ）および送信電力デルタΔＰ（ｎ−１）の両方に関連する可能性があり、したがって（１）最強の近接セクタ用のより大きなチャネル利得は結果的により大きなΔＰｄｎ（ｎ）をもたらし、（２）ΔＰ（ｎ−１）のより大きな値は、結果として、より大きなΔＰｄｎ（ｎ）をもたらす。逆に、最強の近接セクタが低いセクタ間干渉を観測し、そのＯＳＩビットを「０」に設定する場合、ΔＰｕｐ（ｎ）は、チャネル利得比ｒｓｎｓ（ｎ）および送信電力デルタΔＰ（ｎ−１）の両方に逆比例する可能性があり、したがって（１）最強の近接セクタに関するより大きなチャネル利得は、結果として、より小さいΔＰｕｐ（ｎ）をもたらし、（２）ΔＰ（ｎ−１）のより大きなものは、結果として、より小さなΔＰｕｐ（ｎ）をもたらす。
【００９５】
ΔＰ（ｎ）はまた確率的やり方で調整されることもできる。例えば、ＯＳＩビットが「０」に設定される場合、増加するΔＰ（ｎ）の確率Ｐｒｕｐ（ｎ）が決定され、ΔＰ（ｎ）はこの確率に基づいてΔＰｕｐだけ増加される。逆に、ＯＳＩビットが「１」に設定される場合、減少するΔＰ（ｎ）の確率Ｐｒｄｎ（ｎ）が決定され、ΔＰ（ｎ）はこの確率に基づいてΔＰｄｎだけ減少される。Ｐｒｕｐ（ｎ）およびＰｒｄｎ（ｎ）はΔＰ（ｎ）およびｒｓｎｓ（ｎ）に基づいて決定されてよく、ΔＰｕｐおよびΔＰｄｎは固定値であってもよい。送信電力デルタは他の方法で更新されてもよい。
【００９６】
上に説明されたように、端末は最強の近接セクタのＯＳＩビットだけに応答することができる。端末はまた、マルチプル近接セクタのＯＳＩビットに基づいてその送信電力を調整することができる。例えば、端末は、最強のマルチプル近接セクタに関する送信電力デルタを、一度に１セクタ調整してもよい。可変のステップサイズΔＰｕｐ（ｎ）およびΔＰｄｎ（ｎ）、または調整確率Ｐｒｕｐ（ｎ）およびΔＰｄｎ（ｎ）において、各近接セクタに関するチャネル利得比が考慮に入れられてもよい。
【００９７】
１つまたは複数の電力制御パラメータは、サービス提供セクタに関する重複係数に基づいて直接的または間接的に調整されてよい（ブロック６１８）。例えば、Ｐｄｃｈ（ｎ）、ΔＰｍｉｎ、ΔＰｍａｘ、および／またはその他のパラメータは、重複係数に基づいて調整されてもよい。現在の更新インターバルｎに関する送信電力Ｐｄｃｈ（ｎ）は、次いで、基準電力水準Ｐｒｅｆ（ｎ）、送信電力デルタΔＰ（ｎ）、最低送信電力デルタΔＰｍｉｎと最高送信電力デルタΔＰｍａｘ、重複係数および、場合によっては、その他の係数に基づいて計算される（ブロック６２０）。例えば、ΔＰ（ｎ）は、式（９）に示されるように、ΔＰｍｉｎおよびΔＰｍａｘの範囲内になるように制約されてもよい。送信電力は、次いで、次のように計算されてよい：
【数２０】
2008536368.tif 000022
【００９８】
ここで、ＱｄＢ（ｎ）は、更新インターバルｎ内に適用可能な重複係数であり、ｄＢの単位で与えられる。Ｐｄｃｈ（ｎ）は、所定の最大電力水準と同等以下、すなわち、Ｐｄｃｈ（ｎ）≦Ｐｍａｘになるようにさらに制約されてもよい。次いで、最終的なＰｄｃｈ（ｎ）は、現在の更新インターバルにおいてデータ送信のために使用される（ブロック６２２）。
【００９９】
別の実施形態では、各セクタは重複係数を更新するが、重複係数をブロードキャストしない。この実施形態の場合、Ｑループは暗黙的な(implicit)ものである。重複係数が変わると、セクタ内干渉が変化するため、指定されたデータレートを実現するためにセクタエッジ端末によって要求される最低送信電力も変化する。次いで、ＱｏＳループは、セクタエッジ端末はその指定されたデータレートを達成できるように、ΔＰｍｉｎを調整する。各セクタ内の各端末に関する送信電力デルタΔＰ（ｎ）は、次いで、近接セクタによって送信されたＯＳＩビットに基づいて固有値(proper value)に集中する(converges)。この実施形態では、ΔＰｍｉｎは重複係数によって間接的に更新される。送信電力はΔＰｍｉｎの影響を受け、したがって、重複係数によって間接的に調整される。
【０１００】
図４乃至６は、ＱＯＤＡシステムにおいて電力制御を実行するための特定の電力制御機構と特定の実施形態とを示す。電力制御は、上述したものとは異なるパラメータで、および、または別のやり方で実行されてもよい。例えば、ＴＰＣ命令は、基準電力水準を経由する代わりに、トラフィックチャネルに関して直接的に送信電力を調整するために使用されてもよい。送信電力デルタを経由する代わりに、トラフィックチャネルに関して直接的に送信電力を調整するためにセクタ間干渉の指示が使用されてもよい。性能測定規準、ＱｏＳ測定規準、および重複係数はまた、上に説明されたやり方以外のやり方で説明されてもよい。
【０１０１】
図７は、端末１２０ｘ、サービス提供基地局１００ｘ、および近接する基地局１１０ｙの１実施形態のブロック図を示す。逆方向リンク上において、端末１２０ｘでは、ＴＸデータプロセッサ７１０は、逆方向リンク（ＲＬ）トラフィックデータと制御データとを符号化し、インタリーブし、および記号マップ(symbol maps)し、トラフィックデータと制御データに関してデータ記号を提供する。変調器（Ｍｏｄ）７１２は、データ記号とパイロット記号とを受信して、適切なサブバンドおよび記号期間にマップし、ＯＦＤＭ変調を実行し、複素数値のチップ（complex-valued chips）のシーケンスを提供する。送信機装置（ＴＭＴＲ）７１４はチップのシーケナスを調整し（例えば、アナログに変換し、増幅し、濾波し、そして周波数アップコンバートし(frequency upconverts)）、アンテナ７１６を経由して送信される逆方向リンク信号を生成する。
【０１０２】
サービス提供基地局１１０ｘで、マルチプルアンテナ７５２ｘａ乃至７５２ｘｔは、端末１２０ｘおよび他の端末から逆方向リンク信号を受信し、各アンテナ７５２ｘは受信信号をそれぞれの受信機装置（ＲＣＶＲ）７５４ｘに供給する。各受信機装置７５４ｘは、その受信信号を調整し（例えば、濾波し、増幅し、そして周波数ダウンコンバートし(frequency downconverts)）、その調整された信号をディジタル化し、ＯＦＤＭ復調を実行し、受信された記号を提供する。ＲＸ空間プロセッサ７５８は、すべての受信機装置７５４ｘａ乃至７５４ｘｔから受信記号を取得し、重複送信を分離するために受信機空間処理（例えば、空間整合フィルタリング(spatial matched filtering)）を実行し、送信されたデータ記号の推定(estimates)である、検出された記号を提供する。ＲＸデータプロセッサ７６０ｘは、検出された記号をデインタリーブし、そして復号し、端末１２０ｘならびに基地局１１０ｘによってサービス提供されているその他の端末に関して復号されたデータを提供し、さらに、重複係数およびＱｏＳ電力制御パラメータを調整するために性能およびＱｏＳ測定規準を導くために使用される情報（例えば、パケット状態(status)、タイミング情報）を提供する。
【０１０３】
順方向リンク送信に関する処理は、逆方向リンクに関して上述した処理と同様に実行されてよい。順方向リンクおよび逆方向リンク上における送信の処理は典型的にシステムによって指定される。
【０１０４】
電力制御については、サービス提供基地局１１０ｘにおいて、ＲＸ空間プロセッサ７５８ｘは端末１２０ｘに関する受信ＳＮＲを推定し、コントローラ７７０ｘにＳＮＲ推定を提供する。コントローラ７７０ｘは端末１２０ｘに関してＴＰＣ命令を、目標ＳＮＲおよびその端末に関するＳＮＲ推定に基づいて生成する。コントローラ７７０ｘはまた、ＲＸデータプロセッサ７６０ｘからパケット状態を受信し、性能測定規準および／またはＱｏＳ測定規準を導き、重複係数を更新し（例えば、全スループットなどの性能測定規準に基づいて）、ＱｏＳ電力制御パラメータを更新する（例えば、ＱｏＳ測定規準に基づいてΔＰｍｉｎを更新する）。ＴＰＣ命令、重複係数（Ｑ）、およびΔＰｍｉｎは、ＴＸデータプロセッサ７８２ｘとＴＸ空間プロセッサ７８４ｘとによって処理され、送信機装置７５４ｘａ乃至７５４ｘｔによって調整され、アンテナ７５２ｘａ乃至７５２ｘｔを経由して端末１２０ｘに送信される。近接する基地局１１０ｙにおいては、ＲＸ空間プロセッサ７５８ｙは基地局１１０ｙによって観測されるセクタ間干渉を推定し、干渉推定をコントローラ７７０ｙに提供する。コントローラ７７０ｙは、干渉推定および公称干渉閾値に基づいて基地局１１０ｙに関してＯＳＩビットを生成する。ＯＳＩビットは処理されて、システム内の端末にブロードキャストされる。コントローラ７７０ｙはさらに、基地局１１０ｙによって観測されるセクタ間干渉に関して何らかの他のタイプの指示を生成してもよい。
【０１０５】
端末１２０ｘにおいては、アンテナ７１６は、サービス提供基地局および近接する基地局から順方向リンク信号を受信し、受信信号を受信機装置７１４に供給する。受信信号は、受信機装置７１４によって調整およびディジタル化され、受信されたＴＰＣ命令、ＯＳＩビット、重複係数、およびΔＰｍｉｎを取得するために復調器（Ｄｅｍｏｄ）７４２とＲＸデータプロセッサ７４４とによってさらに処理される。復調器７４２内のチャネル推定機は、各基地局に関してチャネル利得を推定する。コントローラ７２０は、受信されたＴＰＣ命令を検出し、ＴＰＣ決定に基づいて基準電力水準を更新する。コントローラ７２０はさらに、上述した近接する基地局に関する受信されたＯＳＩビット、サービス提供基地局および近接する基地局に関するチャネル利得、重複係数ならびにΔＰｍｉｎに基づいて、トラフィックチャネルに関する送信電力を調整する。コントローラ７２０は、端末１２０ｘによって使用されるトラフィックチャネル用の送信電力を提供する。プロセッサ７１０および／または変調器７１２は、コントローラ７２０からの送信電力に基づいてトラフィックチャネル用のデータ記号をスケールする。
【０１０６】
コントローラ７２０、７７０ｘ、および７７０ｙは、それぞれ、端末１２０ｘならびに基地局１１０ｘおよび１１０ｙにおいて様々な処理装置の動作を指令する(direct)。これらのコントローラはさらに、データ送信および電力制御のために様々な機能を実行してもよい。例えば、コントローラ７２０は、図４に示されている装置４５０乃至４７０の任意のものまたはすべてのものを実施してもよい。コントローラ７２０はまた、図６中の処理６００の一部を実施してもよい。各基地局１１０のためのコントローラ７７０は、図４中の装置４１０乃至４４２の任意のものまたはすべてのものを実施してよい。コントローラ７７０は、図５中の処理５００の一部を実施してもよい。メモリ装置７２２、７７２ｘ、および７７２ｙは、それぞれ、コントローラ７２０、７７０ｘ、および７７０ｙのためにデータとプログラムコードとを記憶する。スケジューラ７８０ｘは重複係数に基づいてデータ送信に関して端末をスケジュールし、さらにそれらスケジュールされた端末にトラフィックチャネルを割り当てる。
【０１０７】
本明細書で説明されるデータ送信技術および電力制御技術は、様々な手段により実施されてよい。例えば、これらの技術は、ハードウェア、ソフトウェア、またはそれらの組合せで実施されてよい。ハードウェア実装では、重複係数を更新するために使用される処理装置、スケジュール端末、およびサポート電力制御は、１つまたは複数の特定用途向け集積回路（ＡＳＩＣｓ）、ディジタル信号プロセッサ（ＤＳＰｓ）、ディジタル信号処理装置（ＤＳＰＤｓ）、プログラム可能論理素子（ＰＬＤｓ）、フィールドプログラマブルゲートアレイ(field programmable gate arrays)（ＦＰＧＡｓ）、プロセッサ、コントローラ、マイクロコントローラ、マイクロプロセッサ、本明細書に説明される機能を実行するように設計されたその他の電子装置、またはそれらの組合せ内で実施されてよい。
【０１０８】
ソフトウェア実装の場合、これらの技術は、本明細書で説明される機能を実行するモジュール（例えば、手順、機能など）により実施されてよい。ソフトウェアコードは、メモリ装置（例えば、図７のメモリ装置７２２、７７２ｘ、または７７２ｙ）内に記憶され、プロセッサ（例えば、コントローラ７２０、７７０ｘ、または７７０ｙ）によって実行されてよい。メモリ装置は、プロセッサ内またはプロセッサの外側において実施されてよい。
【０１０９】
開示された実施形態のこれまでの説明は、当業者が本発明を実行または使用することを可能にするために提供される。これらの実施形態に対する様々な修正は、当業者に容易に明らかになるであろう。また本明細書に定義される一般的な原理は、本発明の技術的範囲を逸脱することなく他の実施形態に適用され得る。したがって、本発明は、本明細書に示された実施形態に限定されるものではなく、本明細書に開示されている原理および新規の特徴と一致する広い技術範囲に与えられるものである。
【図面の簡単な説明】
【０１１０】
【図１】一実施形態による、マルチプル基地局とマルチプル端末と備えるシステムを示す概略図。
【図２】一実施形態による、システムリソースを時間周波数ブロックに区分化を示す概略図。
【図３】一実施形態による、１つのセクタの重複係数を調整するための処理を示すフロー図。
【図４】一実施形態による、４つのループを備える電力制御機構を示す概略図。
【図５】一実施形態による、電力制御をサポートするためにセクタによって実行される処理を示すフロー図。
【図６】一実施形態による、電力制御のために端末によって実行される処理を示すフロー図。
【図７】一実施形態による、１つの端末および２つの基地局のブロック図。
【図１】
2008536368.tif 000023
【図２】
2008536368.tif 000024
【図３】
2008536368.tif 000025
【図４】
2008536368.tif 000026
【図５】
2008536368.tif 000027
【図６】
2008536368.tif 000028
【図７】
2008536368.tif 000029
【国際調査報告】
2008536368.tif 000030
2008536368.tif 000031
2008536368.tif 000032